(57)【要約】【課題】ブロック境界（ＢＬＢ）の一方の側においてのみ信号変化の大きい時にも、ブロック境界（ＢＬＢ）をエッジと判定することができる、比較的構成が簡単なブロック検出装置を提供する。【解決手段】入力映像信号（Ｖａ）に対して、隣接画素間の空間差分を算出し、隣接する複数個の上記空間差分の比較結果から、空間差分比較判定信号（ＳＤＪ）を出力する空間差分比較部（１０１）と、上記空間差分比較判定信号（ＳＤＪ）を位相毎にカウントして、累積値信号（ＣＡＶ０〜ＣＡＶ７）を出力する位相累積部（１０２）と、複数個の上記累積値信号（ＣＡＶ０〜ＣＡＶ７）の値を比較して、値が最大である累積値信号を最大累積値信号（ＭＡＳ）に対応する位相を最大累積時位相信号（ＭＡＳ）として出力する最大累積時位相検出部（１０３）を備える。【選択図】図１
2008228264.tif 000002
【特許請求の範囲】
【請求項１】
入力映像信号を受信してブロック境界を検出して出力するブロックノイズ検出装置であって、
上記入力映像信号に対して、隣接画素間の空間差分を算出して出力する空間差分算出部と、隣接する複数個の上記空間差分の比較結果から、空間差分比較判定信号を出力する空間差分比較判定部とを備えた空間差分比較部と、
上記空間差分判定信号を位相毎にカウントして、それぞれの位相に対応するカウント値を累積値信号として上記入力映像信号の水平同期信号に同期したタイミングで出力する複数個のカウンタを備えた位相累積部と、
複数個の上記累積値信号の値のうち、値が最大である累積値信号を最大累積値信号として出力し、上記値が最大である上記累積値信号に対応する位相を最大累積時位相信号として出力する最大累積値検出部を備えた最大累積時位相検出部とを備え、
上記最大累積時位相信号に基づいて、検出されたブロック境界の位置を示す検出ブロック位相信号を出力する
ブロックノイズ検出装置。
【請求項２】
上記最大累積時位相信号を上記検出ブロック位相信号として出力することを特徴とする請求項１に記載のブロックノイズ検出装置。
【請求項３】
上記カウンタの個数が、ブロックサイズを表す画素数に等しいことを特徴とする請求項１に記載のブロックノイズ検出装置。
【請求項４】
上記ブロックサイズが８であることを特徴とする請求項３に記載のブロックノイズ検出装置。
【請求項５】
上記最大累積時位相信号を受け、互いに連続する複数個のラインからそれぞれ得られた複数個の上記最大累積時位相信号を比較して、全て一致したときに上記検出ブロック位相信号を出力する位相信号比較判定部を備えた位相相互判定部をさらに備えることを特徴とする請求項１に記載のブロックノイズ検出装置。
【請求項６】
上記最大累積値信号を閾値と比較し、上記最大累積値信号の方が大きい場合のみ上記最大累積時位相信号を検出ブロック位相信号として出力する位相閾値判定部をさらに備えることを特徴とする、
請求項１に記載のブロックノイズ検出装置。
【請求項７】
入力映像信号を受信してブロック境界を検出して出力するブロックノイズ検出方法であって、
上記入力映像信号に対して、隣接画素間の空間差分を算出し、
隣接する複数個の上記空間差分の比較結果から、空間差分比較判定信号を出力し、
上記空間差分判定信号を位相毎にカウントして、それぞれの位相に対応するカウント値を累積値信号として入力映像信号の水平同期信号に同期したタイミングで出力し、
複数個の上記累積値信号のうち、値が最大である累積値信号に対応する位相を最大累積時位相信号として出力し、
上記最大累積時位相信号に基づいて、検出されたブロック境界の位置を示す信号を検出ブロック位相信号として出力する
ブロックノイズ検出方法。
【請求項８】
互いに連続する複数個のラインからそれぞれ得られた複数個の上記最大累積時位相信号を比較して、全て一致したときに検出ブロック位相信号を出力する
請求項７に記載のブロックノイズ検出方法。
【請求項９】
上記最大累積値信号を閾値と比較し、上記最大累積値信号の方が大きい場合のみ上記最大累積時位相信号を検出ブロック位相信号として出力する
請求項７に記載のブロックノイズ検出方法。
【請求項１０】
請求項１乃至６の何れかに記載のブロックノイズ検出装置と、
上記入力映像信号に対して、平滑化処理し、平滑化映像出力信号として出力する平滑化処理部と、上記入力映像信号と上記平滑化出力信号の内、上記検出ブロック位相信号に対応する位相及びその前後の所定範囲内の位相では上記平滑化出力信号を、他の位相では上記入力映像信号を出力映像信号として出力する選択器とを備えた水平平滑化部と
を備えることを特徴とするブロックノイズ除去装置。
【請求項１１】
請求項７乃至９の何れかに記載のブロックノイズ検出方法によりブロックノイズを検出し、
上記入力映像信号に対して、平滑化処理し、平滑化出力信号として出力し、
上記入力映像信号と上記平滑化出力信号の内、上記最大累積時位相信号に対応する位相及びその前後の所定範囲内の位相では上記平滑化出力信号を、他の位相では上記入力映像信号を出力映像信号として出力する
ブロックノイズ除去方法。
【請求項１２】
請求項１乃至６の何れかに記載のブロックノイズ検出装置と、輝度信号水平平滑化部と、青色差信号水平平滑化部と、赤色差信号水平平滑化部とを備えたブロックノイズ除去装置であって、
上記入力映像信号として、入力輝度信号、入力青色差信号及び入力赤色差信号を含むものが入力され、
上記ブロックノイズ検出装置が、上記入力輝度信号に基づいて上記検出ブロック位相信号を出力し、
上記輝度信号水平平滑化部が、上記入力輝度信号に対して、平滑化処理し、平滑化輝度出力信号として出力する平滑化処理部と、上記入力輝度信号と上記平滑化輝度出力信号の内、上記検出ブロック位相信号に対応する位相及びその前後の所定範囲内の位相では上記平滑化輝度出力信号を、他の位相では上記入力輝度信号を出力輝度信号として出力する選択器とを備え、
上記青色差信号水平平滑化部が、上記入力青色差信号に対して、平滑化処理し、平滑化青色差出力信号として出力する平滑化処理部と、上記入力青色差信号と上記平滑化青色差出力信号の内、上記検出ブロック位相信号に対応する位相及びその前後の所定範囲内の位相では上記平滑化青色差出力信号を、他の位相では上記入力青色差信号を出力青色差信号として出力する選択器とを備え、
上記赤色差信号水平平滑化部が、上記入力赤色差信号に対して、平滑化処理し、平滑化赤色差出力信号として出力する平滑化処理部と、上記入力赤色差信号と上記平滑化赤色差出力信号の内、上記検出ブロック位相信号に対応する位相及びその前後の所定範囲内の位相では上記平滑化赤色差出力信号を、他の位相では上記入力赤色差信号を出力赤色差信号として出力する選択器とを備える
ことを特徴とするブロックノイズ除去装置。
【請求項１３】
請求項１乃至６の何れかに記載のブロックノイズ検出装置と、輝度信号水平平滑化部と、色差信号水平平滑化部とを備えたブロックノイズ除去装置であって、
上記入力映像信号として、入力輝度信号及び入力色差信号を含むものが入力され、
上記ブロックノイズ検出装置が、上記入力輝度信号に基づいてブロックノイズを検出して、上記検出ブロック位相信号を出力し、
上記輝度信号水平平滑化部が、上記入力輝度信号に対して、平滑化処理し、平滑化輝度出力信号として出力する平滑化処理部と、上記入力輝度信号と上記平滑化輝度出力信号の内、上記検出ブロック位相信号に対応する位相及びその前後の所定範囲内の位相では上記平滑化輝度出力信号を、他の位相では上記入力輝度信号を出力輝度信号として出力する選択器とを備え、
上記入力映像信号を構成する入力色差信号に対して、平滑化処理し、平滑化色差出力信号として出力する平滑化処理部と、
上記色差信号水平平滑化部が、上記入力色差信号に対して、平滑化処理し、平滑化色差出力信号として出力する平滑化処理部と、上記入力色差信号と上記平滑化色差出力信号の内、上記検出ブロック位相信号に対応する位相及びその前後の所定範囲内の位相では上記平滑化色差出力信号を、他の位相では上記入力色差信号を出力色差信号として出力する選択器とを備える
ことを特徴とするブロックノイズ除去装置。
【請求項１４】
輝度信号ブロックノイズ除去装置と、青色差信号ブロックノイズ除去装置と、赤色差信号ブロックノイズ除去装置とを備えたブロックノイズ除去装置であって、
上記入力映像信号として、入力輝度信号、入力青色差信号及び入力赤色差信号を含むものが入力され、
上記輝度信号ブロックノイズ除去装置、上記青色差信号ブロックノイズ除去装置、及び上記赤色差信号ブロックノイズ除去装置の各々が、請求項１乃至６の何れかに記載のブロックノイズ検出装置と、水平平滑化部とを備え、
上記輝度信号ブロックノイズ除去装置の上記ブロックノイズ検出装置が、上記入力輝度信号に基づいて上記検出ブロック位相信号を出力し、
上記輝度信号ブロックノイズ除去装置の上記水平平滑化部が、上記入力輝度信号に対して、平滑化処理し、平滑化輝度出力信号として出力する平滑化処理部と、上記入力輝度信号と上記平滑化輝度出力信号の内、上記輝度信号ブロックノイズ除去装置の上記ブロックノイズ検出装置が出力した上記検出ブロック位相信号に対応する位相及びその前後の所定範囲内の位相では上記平滑化輝度出力信号を、他の位相では上記入力輝度信号を出力輝度信号として出力する選択器とを備え、
上記青色差信号ブロックノイズ除去装置の上記水平平滑化部が、上記入力青色差信号に対して、平滑化処理し、平滑化青色差出力信号として出力する平滑化処理部と、上記入力青色差信号と上記平滑化青色差出力信号の内、上記青色差信号ブロックノイズ除去装置の上記ブロックノイズ検出装置が出力した上記検出ブロック位相信号に対応する位相及びその前後の所定範囲内の位相では上記平滑化青色差出力信号を、他の位相では上記入力青色差信号を出力青色差信号として出力する選択器とを備え、
上記赤色差信号ブロックノイズ除去装置の上記水平平滑化部が、上記入力赤色差信号に対して、平滑化処理し、平滑化青色差出力信号として出力する平滑化処理部と、上記入力赤色差信号と上記平滑化赤色差出力信号の内、上記赤色差信号ブロックノイズ除去装置の上記ブロックノイズ検出装置が出力した上記検出ブロック位相信号に対応する位相及びその前後の所定範囲内の位相では上記平滑化赤色差出力信号を、他の位相では上記入力赤色差信号を出力赤色差信号として出力する選択器とを備える
ことを特徴とするブロックノイズ除去装置。
【発明の詳細な説明】
【技術分野】
【０００１】
この発明は、映像信号を複数のブロックに分割した後に符号化し伝送あるいは記録したものを復号化した際に生じるブロックノイズに対する映像信号処理技術に関するものである。
【背景技術】
【０００２】
従来のブロック歪検出装置では、ブロック歪検出装置を構成するブロックエッジ判定回路で、注目している輝度信号差分値がその左右周辺の輝度信号差分値の平均の係数倍より大きい時に、エッジと判定していた。また、ブロック歪検出装置を構成する境界特定手段が垂直同期信号に同期したタイミングで、ブロック境界を特定していた（例えば特許文献１）。
【０００３】
【特許文献１】再公表特許ＷＯ２００５／００４４８９号（６頁４行目〜１１行目、図１〜図３）
【発明の開示】
【発明が解決しようとする課題】
【０００４】
従来のブロック歪検出装置では、エッジ判定の際に、注目している信号差分値とその左右周辺の信号差分値とを左右同時に比較するので、例えば、ブロック境界の右側において信号変化が小さく、左側において信号変化が大きい時に、ブロック境界をエッジと判定しないという問題があった。
【０００５】
また、従来のブロック歪検出装置では、垂直同期信号に同期したタイミングで、ブロック境界を特定するので、１フレームに対するブロック境界を特定する。このため、ブロック歪検出装置を構成するエッジ回数カウンタのビット数が大きくなり、ブロック歪検出装置の回路規模が大きくなるという問題があった。さらに、１フレームに対するブロック境界を特定するため、ブロック歪検出装置を用いてブロック歪除去装置を構成する際に、ブロック歪検出結果をふまえてブロック歪除去処理を行うには、回路規模の大きなフレーム記憶回路を必要とするという問題があった。
【０００６】
この発明は、上記のような問題点を解決するためになされたものであり、ブロック境界の一方の側のみで信号変化が大きい時にもブロック境界をエッジと判定することができ、回路規模が小さくても検出精度の高いブロックノイズ検出装置を実現することを目的としている。
【課題を解決するための手段】
【０００７】
この発明のブロックノイズ検出装置は、
入力映像信号を受信してブロック境界を検出して出力するブロックノイズ検出装置であって、
上記入力映像信号に対して、隣接画素間の空間差分を算出して出力する空間差分算出部と、隣接する複数個の上記空間差分の比較結果から、空間差分比較判定信号を出力する空間差分比較判定部とを備えた空間差分比較部と、
上記空間差分判定信号を位相毎にカウントして、それぞれの位相に対応するカウント値を累積値信号として上記入力映像信号の水平同期信号に同期したタイミングで出力する複数個のカウンタを備えた位相累積部と、
複数個の上記累積値信号の値のうち、値が最大である累積値信号を最大累積値信号として出力し、上記値が最大である上記累積値信号に対応する位相を最大累積時位相信号として出力する最大累積値検出部を備えた最大累積時位相検出部とを備え、
上記最大累積時位相信号に基づいて、検出されたブロック境界の位置を示す検出ブロック位相信号を出力する。
【発明の効果】
【０００８】
この発明によれば、空間差分比較判定の際に、注目している空間差分とその左右周辺の空間差分を左右別々に比較して、かつ、検出ブロック位相信号を出力する際に、水平同期信号に同期したタイミングで出力し、１フレームを構成するライン毎にブロックノイズ検出を行うことで、ブロック境界の一方の側のみで信号変化が大きい時にもブロック境界をエッジと判定することができ、回路規模が小さくても検出精度の高いブロックノイズ検出装置を実現することができる。
【発明を実施するための最良の形態】
【０００９】
以下、本発明のブロックノイズ検出装置及び該ブロックノイズ検出装置を備えたブロックノイズ除去装置について説明する。本発明のブロックノイズ検出装置は、所定の矩形ブロック単位で圧縮伸張処理された映像信号におけるブロックノイズを検出するためのものであり、以下に詳述する例では、ブロックの水平方向のサイズは８画素であるものとする。
【００１０】
実施の形態１．
図１はこの発明の実施の形態１であるブロックノイズ検出装置１００を示すものである。図示のブロックノイズ検出装置１００は、空間差分比較部１０１と、位相累積部１０２と、最大累積時位相検出部１０３と、制御部１０９を有する。
【００１１】
入力映像信号Ｖａは、空間差分比較部１０１に供給されるが、この際、制御部１０９により入力映像信号Ｖａ中の水平同期信号Ｈｓｙｎｃが抽出されて、これらが位相累積部１０２に供給される。
また、制御部１０９において、水平同期信号Ｈｓｙｎｃに同期して、画素サンプリング周期に等しい周期の画素クロックＣＬＫＨが発生され、位相累積部１０２に供給される。
なお、制御部１０９では、垂直同期信号Ｖｓｙｎｃも抽出され、垂直同期信号Ｖｓｙｎｃと水平同期信号Ｈｓｙｎｃは、空間差分比較部１０１及び最大累積時位相検出部１０３の制御にも用いられるが、その詳細は省略する。
【００１２】
空間差分比較部１０１は、入力された入力映像信号Ｖａの空間差分を算出し、算出した空間差分に対して、隣接する複数の空間差分の比較判定を行い、判定結果を空間差分比較判定信号ＳＤＪとして位相累積部１０２に出力する。
【００１３】
位相累積部１０２は、入力された空間差分比較判定信号ＳＤＪを空間方向の位相毎に（即ち、水平方向のブロックサイズに一致する、８個の相連続する画素を１周期とする８個の位相毎に）累積して、１ライン分の累積結果を、（８個の位相にそれぞれ対応する）
８個の累積値信号ＣＡＶ０〜ＣＡＶ７として最大累積時位相検出部１０３に入力映像信号Ｖａから抽出された水平同期信号Ｈｓｙｎｃに同期したタイミングで出力する。
【００１４】
最大累積時位相検出部１０３は、入力された８個の累積値信号ＣＡＶ０〜ＣＡＶ７の内、値が最大であるものに対応する位相（累積値信号が最大になる時の位相）を検出ブロック位相信号ＤＢＰとして出力する。このような累積値信号ＣＡＶ０〜ＣＡＶ７の内の値が最大であるものに対応する位相の検出、及び検出ブロック位相信号ＤＢＰの出力は各ライン毎に行われる。
【００１５】
図２はブロックノイズ検出装置１００を構成する空間差分比較部１０１の一例を示すものである。図示の空間差分比較部１０１は、空間差分算出部１１１と、隣接空間差分保持出力部１１２と、空間差分比較判定部１１３を有する。
【００１６】
空間差分算出部１１１は、入力された入力映像信号Ｖａに対して、隣接画素間の階調差の絶対値を算出し、階調差を空間差分信号ＳＰＤとして隣接空間差分保持出力部１１２に出力する。例えば、図３（ａ）に示すように、ブロック境界ＢＬＢを有する階調分布の入力映像信号Ｖａにおいて、画素ｐ０とｐ１の階調に対して、図３（ｂ）に示すように、隣接画素間の階調差の絶対値Ｇ０を算出し、空間差分として出力する。他の画素間においても、同様に隣接画素間の階調差の絶対値を算出する。
【００１７】
隣接空間差分保持出力部１１２は、入力された空間差分信号ＳＰＤに対して、複数のフリップフロップ等で保持し、隣接する９個の空間差分信号Ｇ１〜Ｇ９を空間差分比較判定部１１３に出力する。
【００１８】
空間差分比較判定部１１３は、入力された隣接する９個の空間差分信号Ｇ１〜Ｇ９の内、５番目の空間差分信号値Ｇ５が、１〜４番目の４個全ての空間差分信号値Ｇ１〜Ｇ４か、６〜９番目の４個全ての空間差分信号値Ｇ６〜Ｇ９のどちらかより大きい場合、空間差分比較判定信号ＳＤＪとして「１」を出力する。上記の条件を満たさない場合、空間差分比較判定信号ＳＤＪとして「０」を出力する。例えば、図３（ｂ）に示す空間差分信号ＳＤＪでは、空間差分値Ｇ１〜Ｇ９が下記の式（１）と式（２）の両方を満たすので、図３（ｃ）に示すように、空間差分比較判定信号ＳＤＪとして「１」を出力する。
Ｇ５＞ＭＡＸ（Ｇ１，Ｇ２，Ｇ３，Ｇ４）      …（１）
Ｇ５＞ＭＡＸ（Ｇ６，Ｇ７，Ｇ８，Ｇ９）      …（２）
【００１９】
同様に、空間差分算出部１１１は、図４（ａ）に示すように、ブロック境界ＢＬＢを有する階調分布の入力映像信号Ｖａに対して、図４（ｂ）に示す空間差分信号ＳＰＤを出力し、空間差分比較判定部１１３は、図４（ｂ）に示す空間差分信号ＳＰＤに対して、図４（ｃ）に示す空間差分比較判定信号ＳＤＪを出力する。この時、図４（ｂ）に示す空間差分ＳＰＤでは、空間差分値Ｇ１〜Ｇ９が式（１）は満たさないが、式（２）を満たすので、図４（ｃ）に示すように、空間差分比較判定信号ＳＤＪとして「１」を出力する。
【００２０】
図４（ｃ）では、ブロック境界ＢＬＢの位相である位相ＰＨ６の画素位置ｐ６とｐ１４において空間差分比較判定信号ＳＤＪが「１」であるが、ブロック境界ＢＬＢ以外の位相の画素位置ｐ４とｐ１５でも空間差分比較判定信号ＳＤＪが「１」である。しかし、位相ＰＨ６の画素位置では常に空間差分比較判定信号ＳＤＪが「１」であるのに対し、他の位相の画素位置では時々空間差分比較判定信号ＳＤＪが「１」になり、大抵「０」である。よって、位相累積部１０２から出力される８個の累積値信号ＣＡＶ０〜ＣＡＶ７の内、累積値信号が最大になる時の位相はブロック境界ＢＬＢの位相となる。
【００２１】
図５はブロックノイズ検出装置１００を構成する位相累積部１０２の一例を示すものである。図示の位相累積部１０２は、位相番号出力部１２１と、空間差分比較判定信号振分部１２２と、８個のカウンタ１２３０〜１２３７を有する。
【００２２】
位相番号出力部１２１は、水平同期信号Ｈｓｙｎｃと同期して動作し、画素クロックＣＬＫＨをカウントすることで位相を検出し、位相ＰＨ０〜ＰＨ７を順次特定する位相番号信号ＰＮＳを空間差分比較判定信号振分部１２２に出力する。
例えば、位相番号出力部１２１は、水平同期信号Ｈｓｙｎｃを受けたときに位相ＰＨが特定の位相、例えばＰＨ０であるものとし、その後画素クロックＣＬＫＨが一つ入力されるごとに位相を示す値（番号）を１ずつ増加させ、最大値ＰＨ７に達したら、初期値ＰＨ０に戻し、以下同様の処理を繰り返す。
【００２３】
空間差分比較判定信号振分部１２２は、入力された空間差分比較判定信号ＳＤＪを、入力された位相番号信号ＰＮＳで示される位相に応じて、カウンタ１２３０〜１２３７に振り分けて出力する。具体的には、位相番号信号ＰＮＳがある位相ＰＨｎ（０≦ｎ≦７）を示すものである場合、ｎ番目の空間差分比較判定信号ＳＤＪをｎ番目のカウンタ１２３ｎ（位相ＰＨｎに対応して設けられたカウンタ１２３ｎ）に出力する。
【００２４】
例えば、空間差分比較判定信号ＳＤＪが図６（ａ）に示すもので、位相番号信号ＰＮＳが図６（ｂ）に示すものである場合、画素ｐ６の位置においては空間差分比較判定信号ＳＤＪは「１」であり、画素ｐ６の位置においては位相番号信号ＰＮＳは位相ＰＨ６を示すものであるので、図６（ｃ）〜図６（ｊ）に示すように、位相ＰＨ６に対応するカウンタ１２３６に空間差分比較判定信号ＳＤＪとして「１」を出力する。
【００２５】
カウンタ１２３０〜１２３７は、空間差分比較判定信号振分部１２２を介して入力された空間差分比較判定信号ＳＤＪを累積加算し、１ライン分の累積値を累積値信号ＣＡＶ０〜ＣＡＶ７として水平同期信号Ｈｓｙｎｃに同期したタイミングで出力する。
【００２６】
例えば、１ライン分の画素数がＬである場合、図６（ｃ）〜（ｊ）に示すように、（Ｌ−１）番目の画素ｐ（Ｌ−１）の時の累積値を表す信号を累積値信号ＣＡＶ０〜ＣＡＶ７として出力する。
【００２７】
図７はブロックノイズ検出装置１００を構成する最大累積時位相検出部１０３の一例を示すものである。図示の最大累積時位相検出部１０３は、最大累積値検出部１３１を有する。
【００２８】
最大累積値検出部１３１は、入力された８個の累積値信号ＣＡＶ０〜ＣＡＶ７の値を比較し、値が最大である累積値信号を最大累積値信号ＭＡＳとして出力し、値が最大である累積値信号（ＣＡＶｍ）に対応する位相（ＰＨｍ）を表す信号を最大累積時位相信号ＭＡＰとして出力する。このような累積値信号ＣＡＶ０〜ＣＡＶ７の内の値が最大である累積値信号を最大累積値信号ＭＡＳとして出力する処理、及び値が最大である累積値信号（ＣＡＶｍ）に対応する位相（ＰＨｍ）を表す信号を最大累積時位相信号ＭＡＰとして出力する処理は、各ライン毎に行われる。
【００２９】
実施の形態１では、最大累積値検出部１３１から出力された最大累積時位相信号ＭＡＰを検出ブロック位相信号ＤＢＰとしている。
【００３０】
図８は実施の形態１のブロックノイズ検出装置１００を用いて構成したブロックノイズ除去装置２００を示すものである。図示のブロックノイズ除去装置２００は、水平ブロックノイズ検出装置２０１と、ラインメモリ２０２と、水平平滑化部２０３を有する。
【００３１】
水平ブロックノイズ検出装置２０１は、図１に示したブロックノイズ検出装置１００と同構成のもので、入力された入力映像信号Ｖａに対して、検出ブロック位相信号ＤＢＰを水平平滑化部２０３に出力する。
【００３２】
ラインメモリ２０２は、入力された入力映像信号Ｖａを１ライン分保持した後、１ライン遅延入力映像信号Ｖｂとして水平平滑化部２０３に出力する。
【００３３】
水平平滑化部２０３は、入力された１ライン遅延入力映像信号Ｖｂを、当該ラインの、検出ブロック位相信号ＤＢＰで特定される位相において平滑化処理した後、出力映像信号Ｖｄとして出力する。
【００３４】
図９はブロックノイズ除去装置２００を構成する水平平滑化部２０３の一例を示すものである。図示の水平平滑化部２０３は、位相番号出力部２３１と、番号比較部２３２と、平滑化処理部２３３と、選択器２３４を有する。
【００３５】
位相番号出力部２３１は、図５に示した位相番号出力部１２１と同様のもので、水平ブロックノイズ検出装置２０１の制御部１０９から出力される、水平同期信号Ｈｓｙｎｃ及び画素クロックＣＬＫＨを受け、水平同期信号Ｈｓｙｎｃに同期して動作し、画素クロックＣＬＫＨをカウントすることで、位相ＰＨ０〜ＰＨ７を順次特定する位相番号信号PＭSを番号比較部２３２に出力する。
【００３６】
番号比較部２３２は、入力された位相番号信号ＰＭＳと入力された検出ブロック位相信号ＤＢＰを比較し、比較結果に応じて平滑化処理判定信号ＦＰＪを選択器２３４に出力する。具体的には、検出ブロック位相信号ＤＢＰがある位相ＰＨｎ（０≦ｎ≦７）を示すものであり、位相番号信号ＰＮＳによって示される位相ＰＨｎが位相（ｎ−２）から位相（ｎ＋１）までのいずれかである場合には平滑化処理判定信号ＦＰＪとして「１」を選択器２３４に出力し、上記の条件が満たさない場合には平滑化処理判定信号ＦＰＪとして「０」を選択器２３４に出力する。
【００３７】
例えば、位相番号信号ＰＭＳが図１０（ａ）に示すごとくであり、検出ブロック位相信号ＤＢＰが位相ＰＨ６を示すものである（ｎ＝６である）場合、（ｎ―２）＝４、（ｎ＋１）＝７であり、画素ｐ４〜ｐ７の位置において位相番号信号ＰＭＳが位相ＰＨ４〜ＰＨ７を示すものであるので、図１０（ｂ）に示すように、画素ｐ４〜ｐ７においては平滑化処理判定信号ＦＰＪとして「１」を出力し、その他の画素では、平滑化処理判定信号ＦＰＪとして「０」を出力する。
【００３８】
平滑化処理部２３３は、入力された１ライン遅延入力映像信号Ｖｂに対して、平滑化処理し、平滑化出力信号Ｖｆとして選択器２３４に出力する。
【００３９】
例えば、１ライン遅延入力映像信号Ｖｂが図１０（ｃ）に示すごとくであって、ブロック境界ＢＬＢを有する場合、平滑化処理の後、平滑化出力信号Ｖｆとして図１０（ｄ）に示すものが出力される。
【００４０】
図１１は平滑化処理部２３３の構成例を示すものである。図示の平滑化処理部２３３は、遅延回路２４０ｇ、２４０ｈ、２４０ｉ、２４０ｊと、平均値算出部２４１を有する。
【００４１】
遅延回路２４０ｇは、入力された１ライン遅延入力映像信号Ｖｂに対して、画素サンプリング１回分の遅延（１画素クロックＣＬＫＨ周期の遅延）を与えて、１画素遅延入力映像信号Ｖｇとして遅延回路２４０ｈに出力する。遅延回路２４０ｈは、入力された１画素遅延入力映像信号Ｖｇに対して、画素サンプリング１回分の遅延を与えて、２画素遅延入力映像信号Ｖｈとして遅延回路２４０ｉに出力する。遅延回路２４０ｉは、入力された２画素遅延入力映像信号Ｙｈに対して、画素サンプリング１回分の遅延を与えて、３画素遅延入力映像信号Ｖｉとして遅延回路２４０ｊに出力する。遅延回路２４０ｊは、入力された２画素遅延入力映像信号Ｖｉに対して、画素サンプリング１回分の遅延を与えて、４画素遅延入力映像信号Ｙｊとして平均値算出部２４１に出力する。
【００４２】
平均値算出部２４１は、入力された１ライン遅延入力映像信号Ｖｂ、１画素遅延入力映像信号Ｖｇ、２画素遅延入力映像信号Ｖｈ、３画素遅延入力映像信号Ｖｉ、４画素遅延入力映像信号Ｖｊの平均値を算出して、平滑化出力信号Ｖfとして出力する。なお、平均値産出部２４１で算出する平均値は、単純平均値であっても良く、加重平均値であっても良い。
【００４３】
選択器２３４は、入力された平滑化処理判定信号ＦＰＪに応じて、入力された平滑化出力信号Ｖｆと入力された１ライン遅延入力映像信号Ｖｂの何れかを選択し、出力映像信号Ｖｄとして出力する。具体的には、平滑化処理判定信号ＦＰＪが「１」の場合には、平滑化出力信号Ｖｆを選択して出力映像信号Ｖｄとして出力し、平滑化処理判定信号ＦＰＪが「０」の場合には、１ライン遅延入力映像信号Ｖｂを選択して出力映像信号として出力する。
【００４４】
例えば、図１０（ａ）〜（ｅ）に示す動作においては、図１０（ｂ）に示すように、平滑化処理判定信号ＦＰＪが、画素ｐ４〜ｐ７の位置で「１」であるので、図１０（ｅ）に示すように、これらの画素の位置では、出力映像信号Ｖｄとして、図１０（ｄ）に示す平滑化出力信号Ｖｆを出力する。これに対して、平滑化処理判定信号ＦＰＪは、画素ｐ４〜ｐ７以外の画素の位置では「０」であるので、これらの画素の位置では、出力映像信号Ｖｄとして、図１０（ｃ）に示す１ライン遅延入力映像信号Ｖｂを出力する。
【００４５】
以上のように、空間差分比較判定の際に、注目している空間差分とその左右周辺の空間差分を左右別々に比較して、かつ、検出ブロック位相信号ＤＢＰを出力する際に、入力映像信号Ｖａから分離された水平同期信号Ｈｓｙｎｃに同期したタイミングで出力し、１フレームを構成するライン毎にブロックノイズ検出を行うことで、回路規模が小さくても検出精度の高いブロックノイズ検出装置を実現することができる。
【００４６】
なお、以上の説明では、水平方向のブロックサイズが８画素であることに対応して、ブロックノイズ検出装置１００を構成するカウンタ１２３０〜１２３７の個数は８個とされているが、ブロックサイズが８以外であっても、それに応じて数のカウンタ（１２３０〜１２３７と同等のもの）を設け、これに合わせて位相番号信号ＰＮＳ、ＰＭＳがとり得る値の数などを変更することで、ブロックサイズに応じたブロックノイズ検出装置（やブロックノイズ除去装置）を構成することができる。
【００４７】
実施の形態２．
図１２はこの発明の実施の形態２であるブロックノイズ検出装置３００を示すものである。図１２において、図１と同じ参照符号は、同一又は類似の構成要素や信号を示し、これらの構成要素や信号については説明を省略する。図示のブロックノイズ検出装置３００は、図１に示されるブロックノイズ検出装置と概して同様のものであるが、位相相互判定部１０４が付加されている点で異なる。この位相相互判定部１０４は、最大累積時位相検出部１０３の出力側に設けられ、最大累積時位相検出部１０３から出力される最大累積時位相信号ＭＡＰが位相相互判定部１０４に供給される。
【００４８】
図１２のブロックノイズ検出装置３００においてはまた、制御部１０９により、入力映像信号Ｖａから、水平同期信号Ｈｓｙｎｃのほか、垂直同期信号Ｖｓｙｎｃが抽出され、抽出された水平同期信号Ｈｓｙｎｃ及び垂直同期信号Ｖｓｙｎｃは、位相相互判定部１０４に供給される。
【００４９】
位相相互判定部１０４は、連続する８個のラインのそれぞれについての入力された最大累積時位相信号ＭＡＰを８個格納し、これらを互いに比較し、８個の最大累積時位相信号ＭＡＰが互いに一致した時に、最大累積時位相信号ＭＡＰを検出ブロック位相信号ＤＢＰとして出力する。
【００５０】
図１３は位相相互判定部１０４の一例を示すものである。図示の位相相互判定部１０４は、ライン番号出力部１４１と、位相信号振分部１４２と、位相信号比較判定部１４３を有する。
【００５１】
ライン番号出力部１４１は、垂直同期信号Ｖｓｙｎｃに同期して動作し、水平同期信号Ｈｓｙｎｃをカウントすることで、ライン番号ＰＶ０〜ＰＶ７を順次特定するライン番号信号ＬＮＳを位相信号振分部１４２に出力する。
【００５２】
位相信号振分部１４２は、入力された最大累積時位相信号ＭＡＰを、入力されたライン番号信号ＬＮＳで示されるライン番号に応じて、ライン番号ＰＶ０〜ＰＶ７の何れか１つのライン最大累積時位相信号（ＭＡＰ０乃至ＭＡＰ７の何れか）として、位相信号比較判定部１４３に出力する。具体的には、ライン番号信号ＬＮＳがあるライン番号ＰＶｎ（０≦ｎ≦７）を示すものである場合、最大累積時位相信号ＭＡＰをｎ番目のラインにおけるライン最大累積時位相信号ＭＡＰｎとして出力する。
【００５３】
例えば、最大累積時位相信号ＭＡＰが図１４（ａ）に示すごとくであり、ライン番号信号ＬＮＳが図１４（ｂ）に示すものである場合、ラインＬ０の位置においては最大累積時位相信号ＭＡＰが「ＰＨ６」で、ライン番号信号ＬＮＳがライン番号ＰＶ０を示すものであるので、図１４（ｃ）に示すように、ライン最大累積時位相信号ＭＡＰ０として「ＰＨ６」を示す信号を出力する。
【００５４】
位相信号比較判定部１４３は、入力されたライン最大累積時位相信号ＭＡＰ０〜ＭＡＰ７を比較し、８個のライン最大累積時位相信号ＭＡＰ０〜ＭＡＰ７が互いに一致した時には、ライン最大累積時位相信号ＭＡＰ０〜ＭＡＰ７に等しい値を持つ信号を検出ブロック位相信号ＤＢＰとして出力し、一致しない時には、検出ブロック位相信号ＤＢＰとして何も出力しない。
【００５５】
例えば、図１４（ａ）乃至（ｋ）に示す動作においては、ラインＬ７の位置で、ライン最大累積時位相信号ＭＡＰ０〜ＭＡＰ７の値が全て「ＰＨ６」で一致しているので、検出ブロック位相信号ＤＢＰとして「ＰＨ６」を表す信号を出力する。この検出ブロック位相信号ＤＢＰは、同じ画面（フィールド乃至フレーム）内において、次にライン最大累積時位相信号ＭＡＰ０〜ＭＡＰ７の値がすべて、異なる値（上記の例では「ＰＨ６」以外の値）に一致するまで同じ値（「ＰＨ６」）に維持される。
【００５６】
また、図１４（ａ）乃至（ｋ）に示す例では、ラインＬ７の次のラインＬ８の位置では、ライン最大累積時位相信号ＭＡＰ０の値が「ＰＨ０」となるので、ライン最大累積時位相信号ＭＡＰ０〜ＭＡＰ７の値が互いに一致すると言う条件が満たされなくなるが、一旦上記の条件に満たされた後は、その画面においては、次にライン最大累積時位相信号ＭＡＰ０〜ＭＡＰ７の値が全て「ＰＨ６」以外の値に一致するまで「ＰＨ６」を表す検出ブロック位相信号ＤＢＰが出力され続ける。例えば、次にライン最大累積時位相信号ＭＡＰ０〜ＭＡＰ７の値が全て「ＰＨ２」に一致したとすると、その後は、「ＰＨ２」を表す検出ブロック位相信号ＤＢＰが出力され続ける。
【００５７】
図１５は実施の形態２のブロックノイズ検出装置３００を用いて構成したブロックノイズ除去装置４００を示すものである。図示のブロックノイズ除去装置４００は、水平ブロックノイズ検出装置４０１と、ラインメモリ２０４と、水平平滑化部２０３を有する。なお、水平平滑化部２０３は、図８に示されたものと同様の構成を有するものであり、その説明を省略する。
【００５８】
水平ブロックノイズ検出装置４０１は、図１２に示したブロックノイズ検出装置３００と同構成のもので、入力された入力映像信号Ｖａに対して、検出ブロック位相信号ＤＢＰを水平平滑化部２０３に出力する。
【００５９】
ラインメモリ２０４は、入力された入力映像信号Ｖａを８ライン分保持した後、８ライン遅延入力映像信号Ｖｃとして水平平滑化部２０３に出力する。
【００６０】
水平平滑化部２０３の動作は、図８を参照して説明したのと同様である。但し、図８において、１ライン遅延入力映像信号Vｂを入力しているのに対して、８ライン遅延入力映像信号Vｃを入力している点で異なる。１ライン遅延入力映像信号Vｂの代りに、８ライン遅延入力映像信号Vｃを入力するのは、ブロックノイズ検出装置４０１内の位相相互判定部１０４において、８ライン分のデータに基づいて、検出ブロック位相信号ＤＢＰが生成されるので、これにタイミングを合わせるためである。
【００６１】
以上のように、連続する８個のラインから得られた８個の最大累積時位相信号ＭＡＰ０〜ＭＡＰ７が互いに一致した時に検出ブロック位相信号ＤＢＰとして出力することで、ブロックノイズの誤検出を防ぐことができる。
【００６２】
なお、以上の説明では、比較対象の最大累積時位相信号ＭＡＰ０〜ＭＡＰ７の個数が８個であるが、この数は、２以上であれば良く、多いほど誤検出を防ぐ上では有効であるが、一方処理に要する時間が長くなり、処理に用いられるハードウェアの規模が大きくなるので、これらを勘案して最適な数とすることが望ましい。
【００６３】
実施の形態３．
図１６はこの発明の実施の形態３であるブロックノイズ検出装置５００を示すものである。図１６において、図１と同じ参照符号は、同一又は類似の構成要素や信号を示し、これらの構成要素や信号については説明を省略する。図示のブロックノイズ検出装置５００は、図１に示されるブロックノイズ検出装置と概して同様のものであるが、位相閾値判定部１０５が付加されている点で異なる。この位相閾値判定部１０５は、最大累積時位相検出部１０３の出力側に設けられ、最大累積時位相検出部１０３から出力される最大累積値信号ＭＡＳ及び最大累積時位相信号ＭＡＰが位相閾値判定部１０５に供給される。
【００６４】
位相閾値判定部１０５は、入力された最大累積値信号ＭＡＳを閾値と比較し、最大累積値信号ＭＡＳの方が大きい場合のみ最大累積時位相信号ＭＡＰを検出ブロック位相信号ＤＢＰとして出力する。
【００６５】
以上のように、最大累積値信号ＭＡＳの方が閾値より大きい場合のみ最大累積時位相信号ＭＡＰを検出ブロック位相信号ＤＢＰとして出力することで、画面の一部に発生する四角形等をブロックノイズとして誤検出することを防ぐことができる。
【００６６】
図１６に示すブロックノイズ検出装置５００を、図１に示されるブロックノイズ検出装置１００の代わりに、図８に示される水平ブロックノイズ検出装置２０１として用いて、ブロックノイズ除去装置を構成することもできる。
【００６７】
実施の形態４．
図１７はこの発明の実施の形態４であるブロックノイズ除去装置６００を示すものである。図示のブロックノイズ除去装置６００は、信号分離部６０１と、水平ブロックノイズ検出装置２０１と、輝度信号ラインメモリ２０２Ｙと、青色差信号ラインメモリ２０２ＣＢと、赤色差信号ラインメモリ２０２ＣＲと、輝度信号水平平滑化部２０３Ｙと、青色差信号水平平滑化部２０３ＣＢと、赤色差信号水平平滑化部２０３ＣＲとを有する。本実施の形態は、入力映像信号Ｖａが、入力輝度信号Ｙａと、入力青色差信号ＣＢａと、入力青色差信号ＣＲａの３つの映像信号により構成される場合に用いられるものである。
【００６８】
信号分離部６０１は、入力映像信号Ｖａを、入力輝度信号Ｙａと、入力青色差信号ＣＢａと、入力青色差信号ＣＲａとに分離する。
水平ブロックノイズ検出装置２０１は、図８に示したものと同構成のもので、入力映像信号Ｖａを構成する入力輝度信号Ｙａを入力として、該入力輝度信号Ｙａ中のブロックノイズを検出し、検出ブロック位相信号ＤＢＰを輝度信号水平平滑化部２０３Ｙ、青色差信号水平平滑化部２０３ＣＢ、及び赤色差信号平滑化部２０３ＣＲに出力する。
【００６９】
輝度信号ラインメモリ２０２Ｙは、図８に示したラインメモリ２０２と同構成のもので、入力映像信号Ｖａの代わりに、入力輝度信号Ｙａが入力され、該入力輝度信号Ｙａを１ライン分保持した後、１ライン遅延入力輝度信号Ｙｂとして輝度信号水平平滑化部２０３Ｙに出力する。
【００７０】
青色差信号ラインメモリ２０２ＣＢは、図８に示したラインメモリ２０２と同構成のもので、入力映像信号Ｖａの代わりに、入力青色差信号ＣＢａが入力され、該入力青色差信号ＣＢａを１ライン分保持した後、１ライン遅延入力青色差信号ＣＢｂとして青色差信号水平平滑化部２０３ＣＢに出力する。
【００７１】
赤色差信号ラインメモリ２０２ＣＲは、図８に示したラインメモリ２０２と同構成のもので、入力映像信号Ｖａの代わりに、入力赤色差信号ＣＲａが入力され、該入力赤色差信号ＣＲａを１ライン分保持した後、１ライン遅延入力赤色差信号ＣＲｂとして赤色差信号水平平滑化部２０３ＣＲに出力する。
【００７２】
輝度信号水平平滑化部２０３Ｙは、図８に示した水平平滑化部２０３と同構成のもので、１ライン遅延入力映像信号Ｖｂの代わりに、１ライン遅延入力輝度信号Ｙｂが入力され、該１ライン遅延入力輝度信号Ｙｂを、当該ラインの検出ブロック位相信号ＤＢＰで特定される位相において平滑化処理した後、出力輝度信号Ｙｄとして出力する。
【００７３】
青色差信号水平平滑化部２０３ＣＢは、図８に示した水平平滑化部２０３と同構成のもので、１ライン遅延入力映像信号Ｖｂの代わりに、１ライン遅延入力青色差信号ＣＢｂが入力され、該１ライン遅延入力青色差信号ＣＢｂを、当該ラインの検出ブロック位相信号ＤＢＰで特定される位相において平滑化処理した後、出力青色差信号ＣＢｄとして出力する。
【００７４】
赤色差信号水平平滑化部２０３ＣＲは、図８に示した水平平滑化部２０３と同構成のもので、１ライン遅延入力映像信号Ｖｂの代わりに、１ライン遅延入力赤色差信号ＣＢｂが入力され、該１ライン遅延入力赤色差信号ＣＲｂを、当該ラインの検出ブロック位相信号ＤＢＰで特定される位相において平滑化処理した後、出力赤色差信号ＣＲｄとして出力する。
【００７５】
以上のように、入力映像信号Ｖａを構成する入力輝度信号Ｙａ、入力青色差信号ＣＢａ、入力青色差信号ＣＲａの３つの映像信号全てに対して平滑化処理を行うことで、赤色や青色の画面に発生するブロックノイズを除去することができる。
【００７６】
実施の形態５．
図１８はこの発明の実施の形態５であるブロックノイズ除去装置７００を示すものである。図示のブロックノイズ除去装置７００は、信号分離部６０２と、水平ブロックノイズ検出装置２０１と、輝度信号ラインメモリ２０２Ｙと、色差信号２０２Ｃと、輝度信号水平平滑化部２０３Ｙと、色差信号水平平滑化部７０１とを有する。本実施の形態は、入力映像信号Ｖａが、入力輝度信号Ｙａと、入力色差信号Ｃａの２つの映像信号により構成される場合のものである。入力色差信号Ｃａは、青色差信号成分を表すデータと赤色差信号成分を表すデータとが画素ごとに交互に現れるように構成されたデータ列である。なお、水平ブロックノイズ検出装置２０１と、輝度信号ラインメモリ２０２Ｙと、輝度信号水平平滑化部２０３Ｙは、図１７に示されたものと同様の構成を有するものであり、その説明を省略する。
【００７７】
信号分離部６０２は、入力映像信号Ｖａを、入力輝度信号Ｙａと、入力色差信号Ｃａとに分離する。
色差信号ラインメモリ２０２Ｃは、図８に示したラインメモリ２０２と同構成のもので、入力映像信号Ｖａの代わりに、入力色差信号Ｃａが入力され、該入力色差信号Ｃａを１ライン分保持した後、１ライン遅延入力色差信号Ｃｂとして色差信号水平平滑化部７０１に出力する。
【００７８】
色差信号水平平滑化部７０１は、入力された１ライン遅延入力色差信号Ｃｂを、当該ラインの検出ブロック位相信号ＤＢＰで特定される位相において平滑化処理した後、出力青色差信号Ｃｄとして出力する。
【００７９】
図１９はブロックノイズ除去装置７００を構成する色差信号水平平滑化部７０１を示すものである。図示の色差信号水平平滑化部７０１は、位相番号出力部２３１と、番号比較部２３２と、色差信号平滑化処理部７０２と、選択器２３４とを有する。位相番号出力部２３１と、番号比較部２３２と、選択器２３４は、図９に示されたものと同様の構成を有するものであり、その説明を省略する。
【００８０】
色差信号平滑化処理部７０２は、入力された１ライン遅延入力色差信号Ｃｂに対して、平滑化処理し、平滑化出力信号Ｃｆとして選択器２３４に出力する。入力色差信号Ｃａは、上記のように青色差信号と赤色差信号が画素ごとに交互に並べられたものであり、１ライン遅延入力色差信号Ｃｂも同様のものであるので、それを考慮して構成されている。
【００８１】
図２０は色差信号水平平滑化部７０１を構成する色差信号平滑化処理部７０２の構成例を示すものである。図示の色差信号平滑化処理部７０２は、遅延回路２４０ｇ、２４０ｈ、２４０ｉ、２４０ｊと、色差信号平均値算出部７０３を有する。遅延回路２４０ｇ、２４０ｈ、２４０ｉ、２４０ｊは、図１１に示されたものと同様の構成を有する。但し、１ライン遅延映像信号Ｖｂの代わりに、１ライン遅延入力色差信号Ｃｂが入力され、それぞれ１画素遅延入力色差信号Ｃｇ、２画素遅延入力色差信号Ｃｈ、３画素遅延入力色差信号Ｃｉ、４画素遅延入力色差信号Ｃｊを出力する。
【００８２】
色差信号平均値算出部７０３は、入力された１ライン遅延入力色差信号Ｃｂ、２画素遅延入力色差信号Ｃｈ、４画素遅延入力色差信号Ｃｊの平均値を算出して、平滑化出力信号Ｃfとして出力する。この平均値の算出は、単純平均値の算出であっても良く、加重平均の算出であっても良い。
【００８３】
以上の構成例を有する輝度信号水平平滑化部２０３Ｙと色差信号水平平滑化部７０１は、図２１に示すような動作を行う。
【００８４】
図２１（ａ）は、１ライン遅延入力輝度信号Ｙｂとして順次供給される画素ｐ０、ｐ１、ｐ２、…の階調を符号Ｙ０、Ｙ１、Ｙ２、…で示す。
同様に、図２１（ｃ）は、１ライン遅延入力色差信号Ｃｂとして順次供給される画素ｐ０、ｐ１、ｐ２、…の階調を符号ＣＢ０、ＣＢ１、ＣＢ２、…で示す。
輝度信号水平平滑化部２０３Ｙは、図２１（ａ）に示すように、１ライン遅延入力輝度信号Ｙｂとして、画素ｐ４の輝度の階調Ｙ４が遅延回路２４０ｇに入力されるタイミングで、画素ｐ２及びその周辺の画素ｐ０、ｐ１、ｐ３、ｐ４の輝度の階調Ｙ０〜Ｙ４の平均値の階調Ｙａｖｅ２を、図２１（ｂ）に示すように、平滑化出力信号Ｙｆとして出力する。
【００８５】
また、色差信号水平平滑化部７０１は、図２１（ｃ）に示すように、１ライン遅延入力色差信号Ｃｂとして、画素ｐ４の赤色差の階調ＣＢ４が遅延回路２４０ｇに入力されるタイミングで、画素ｐ２及びその周辺の画素ｐ０、ｐ４の赤色差の階調ＣＢ０、ＣＢ２、ＣＢ４の平均値の階調ＣＢａｖｅ２を、図２１（ｄ）に示すように、平滑化出力色差信号Ｃｆとして出力し、画素ｐ５の青色差の階調ＣＲ５が遅延回路２４０ｇに入力されるタイミングで、画素ｐ３及びその周辺の画素ｐ１、ｐ５の赤色差の階調ＣＲ１、ＣＲ３、ＣＲ５の平均値の階調ＣＲａｖｅ３を、図２１（ｄ）に示すように、平滑化出力色差信号Ｃｆとして出力する。
このように、色差信号平均値算出部７０３は、青色差の階調の平均値と、赤色差の階調の平均値を１画素ごとに交互に出力する。
【００８６】
以上のように、入力輝度信号Ｙａと入力色差信号Ｃａから成る２つの映像信号により構成される入力映像信号Ｖａに対して平滑化処理を行うことで、実施の形態４と比較して、水平平滑化部の個数を３個から２個に減らすことが可能であり、ブロックノイズ除去装置７００の規模を３分の２にすることができる。
【００８７】
実施の形態６．
図２２はこの発明の実施の形態６であるブロックノイズ除去装置８００を示すものである。図示のブロックノイズ除去装置８００は、信号分離部６０１と、輝度信号ブロックノイズ除去装置８００Ｙと、青色差信号ブロックノイズ除去装置８００ＣＢと、赤色差信号ブロックノイズ除去装置８００ＣＲとを有する。
【００８８】
信号分離部６０１は、入力映像信号Ｖａを、入力輝度信号Ｙａと、入力青色差信号ＣＢａと、入力青色差信号ＣＲａとに分離する。
輝度信号ブロックノイズ除去装置８００Ｙは、輝度信号水平ブロックノイズ検出装置２０１Ｙと、輝度信号ラインメモリ２０２Ｙと、輝度信号水平平滑化部２０３Ｙとを有する。
青色差信号ブロックノイズ除去装置８００ＣＢは、青色差信号水平ブロックノイズ検出装置２０１ＣＢと、青色差信号ラインメモリ２０２ＣＢと、青色差信号水平平滑化部２０３ＣＢとを有する。
赤色差信号ブロックノイズ除去装置８００ＣＲは、赤色差信号水平ブロックノイズ検出装置２０１ＣＲと、赤色差ラインメモリ２０２ＣＲと、赤色差信号水平平滑化部２０３ＣＲとを有する。
【００８９】
本実施の形態は、入力映像信号Ｖａが、入力輝度信号Ｙａ、入力青色差信号ＣＢａ、及び入力青色差信号ＣＲａの３つの映像信号により構成される場合に用いられるものである。
なお、輝度信号ラインメモリ２０２Ｙ、青色差信号ラインメモリ２０２ＣＢ、及び赤色差信号ラインメモリ２０２ＣＲは、それぞれ図１７に示されたものと同様の構成を有するものであり、その説明を省略する。
【００９０】
水平ブロックノイズ検出装置２０１Ｙは、図１７に示したものと同構成のもので、入力映像信号Ｖａを構成する入力輝度信号Ｙａを入力として、該入力輝度信号Ｙａ中のブロックノイズを検出し、検出ブロック位相信号ＤＢＰを輝度信号水平平滑化部２０３Ｙに出力する。
【００９１】
青色差信号水平ブロックノイズ検出装置２０１ＣＢは、図８に示したものと同構成のもので、入力映像信号Ｖａを構成する入力青色差信号ＣＢａを入力として、該入力青色差信号ＣＢａ中のブロックノイズを検出し、検出ブロック位相信号ＤＢＰ＿ＣＢを青色差信号水平平滑化部２０３ＣＢに出力する。
【００９２】
水平ブロックノイズ検出装置２０１ＣＲは、図８に示したものと同構成のもので、入力映像信号Ｖａを構成する入力赤色差信号ＣＲａを入力として、該入力赤色差信号ＣＲａ中のブロックノイズを検出し、検出ブロック位相信号ＤＢＰ＿ＣＲを赤色差水平平滑化部２０３ＣＲに出力する。
【００９３】
輝度信号水平平滑化部２０３Ｙ、青色差信号水平平滑化部２０３ＣＢ、及び赤色差信号水平平滑化部２０３ＣＲは、それぞれ図１７に示されたものと同様の構成を有するものであり、その説明を省略する。但し、青色差信号水平平滑化部２０３ＣＢは、青色差信号水平ブロックノイズ検出装置２０１ＣＢが出力する水平同期信号Ｈｓｙｎｃ＿ＣＢ及び画素クロック信号ＣＬＫＨ＿ＣＢを受けて動作し、赤色差信号水平平滑化部２０３ＣＲは、赤色差信号水平ブロックノイズ検出装置２０１ＣＲが出力する水平同期信号Ｈｓｙｎｃ＿ＣＲ及び画素クロック信号ＣＬＫＨ＿ＣＲを受けて動作する。
【００９４】
以上のように、入力映像信号Ｖａを構成する入力輝度信号Ｙａ、入力青色差信号ＣＢａ、及び入力赤色差信号ＣＲａの３つの映像信号それぞれに対して水平ブロックノイズ検出装置２０１Ｙ、２０１ＣＢ、及び２０１ＣＲを設けることで、入力輝度信号Ｙａの階調が一定で、入力青色差信号ＣＢａか入力赤色差信号ＣＲａの少なくとも何れか一方にブロックノイズが発生した場合でも、そのブロックノイズを除去できる。
【００９５】
本構成により、青空や夕焼け空等の、青色や赤色の画面に発生するブロック状の色ノイズを除去できる。
【図面の簡単な説明】
【００９６】
【図１】この発明の実施の形態１であるブロックノイズ検出装置１００を示すブロック図である。
【図２】ブロックノイズ検出装置１００を構成する空間差分比較部１０１を示すブロック図である。
【図３】（ａ）乃至（ｃ）は、ブロックノイズ検出装置１００を構成する空間差分比較部１０１の動作を示すタイムチャートである。
【図４】（ａ）乃至（ｃ）は、ブロックノイズ検出装置１００を構成する空間差分比較部１０１の動作を示すタイムチャートである。
【図５】ブロックノイズ検出装置１００を構成する位相累積部１０２を示すブロック図である。
【図６】（ａ）乃至（ｊ）は、ブロックノイズ検出装置１００を構成する位相累積部１０２の動作を示すタイムチャートである。
【図７】ブロックノイズ検出装置１００を構成する最大累積時位相検出部１０３を示すブロック図である。
【図８】実施の形態１のブロックノイズ検出装置１００を用いて構成したブロックノイズ除去装置２００を示すブロック図である。
【図９】ブロックノイズ除去装置２００を構成する水平平滑化部２０３を示すブロック図である。
【図１０】（ａ）乃至（ｅ）は、ブロックノイズ除去装置２００を構成する水平平滑化部２０３の動作を示すタイムチャートである。
【図１１】図９の平滑化処理部２３３の一例を示すブロック図である。
【図１２】この発明の実施の形態２であるブロックノイズ検出装置３００を示すブロック図である。
【図１３】ブロックノイズ検出装置３００を構成する位相相互判定部１０４を示すブロック図である。
【図１４】（ａ）乃至（ｋ）は、ブロックノイズ検出装置３００を構成する位相相互判定部１０４の動作を示すタイムチャートである。
【図１５】実施の形態２のブロックノイズ検出装置３００を用いて構成したブロックノイズ除去装置４００を示すブロック図である。
【図１６】この発明の実施の形態３であるブロックノイズ検出装置５００を示すブロック図である。
【図１７】この発明の実施の形態４であるブロックノイズ検出装置６００を示すブロック図である。
【図１８】この発明の実施の形態５であるブロックノイズ検出装置７００を示すブロック図である。
【図１９】ブロックノイズ検出装置７００を構成する色差信号水平平滑化部７０１を示すブロック図である。
【図２０】図１９の色差信号平滑化処理部７０２の一例を示すブロック図である。
【図２１】（ａ）乃至（ｄ）は、平滑化処理部２３３と色差信号平滑化処理部７０２の動作を示すタイムチャートである。
【図２２】この発明の実施の形態６であるブロックノイズ検出装置８００を示すブロック図である。
【符号の説明】
【００９７】
１００、３００、５００  ブロックノイズ検出装置、  １０１  空間差分比較部、  １０２  位相累積部、  １０３  最大累積時位相検出部、  １０４  位相相互判定部、  １０５  位相閾値判定部、  １１１  空間差分算出部、  １１２  隣接空間差分保持出力部、  １１３  空間差分比較判定部、  １２１、２３１  位相番号出力部、  １２２  空間差分比較判定信号振分部、  １２３０〜１２３７  カウンタ、  １３１  最大累積値検出部、  １４１  ライン番号出力部、  １４２  位相信号振分部、  １４３  位相信号比較判定部、  ２００、４００、６００、７００、８００  ブロックノイズ除去装置、  ２０１、４０１  水平ブロックノイズ検出装置、  ２０１Ｙ  輝度信号水平ブロックノイズ検出装置、  ２０１ＣＢ  青色差信号水平ブロックノイズ検出装置、  ２０１ＣＲ  赤色差信号水平ブロックノイズ検出装置、  ２０１ＣＢ  青色差信号水平ブロックノイズ検出装置、  ２０２  １ラインメモリ、  ２０２Ｙ  輝度信号１ラインメモリ、  ２０２ＣＢ  青色差信号１ラインメモリ、  ２０２ＣＲ  赤色差信号１ラインメモリ、  ２０２Ｃ  色差信号１ラインメモリ、  ２０３  水平平滑化部、  ２０３Ｙ  輝度信号水平平滑化部、  ２０３ＣＢ  青色差信号水平平滑化部、  ２０３ＣＲ  赤色差信号水平平滑化部、  ２０４  ラインメモリ、  ２３２  番号比較部、  ２３３  平滑化処理部、  ２３４  選択器、  ２４０ｇ、２４０ｈ、２４０ｉ，２４０ｊ  遅延回路、  ２４１  平均値算出部、  ７０１  色差信号水平平滑化部、  ７０２  色差信号平滑化処理部、  ７０３  色差信号平均値算出部。
【図１】
2008228264.tif 000003
【図２】
2008228264.tif 000004
【図３】
2008228264.tif 000005
【図４】
2008228264.tif 000006
【図５】
2008228264.tif 000007
【図６】
2008228264.tif 000008
【図７】
2008228264.tif 000009
【図８】
2008228264.tif 000010
【図９】
2008228264.tif 000011
【図１０】
2008228264.tif 000012
【図１１】
2008228264.tif 000013
【図１２】
2008228264.tif 000014
【図１３】
2008228264.tif 000015
【図１４】
2008228264.tif 000016
【図１５】
2008228264.tif 000017
【図１６】
2008228264.tif 000018
【図１７】
2008228264.tif 000019
【図１８】
2008228264.tif 000020
【図１９】
2008228264.tif 000021
【図２０】
2008228264.tif 000022
【図２１】
2008228264.tif 000023
【図２２】
2008228264.tif 000024